(57)【要約】【課題】水洩れを防ぎ、簡単に抜けることがなく、かつ、エルボ等継手の接続部の長さを容易に調整できる継手の接続構造を提供する。【解決手段】排水管と継手との接続構造において、該継手２の端部が排水管１出口部に挿入可能とされ、この排水管１出口部の外周面には、三角パッキン３を介して予め継手２に緩挿された袋ナット４に内設された雌ねじ４１と螺合する雄ねじ１１が螺設されるとともに、上記継手２の挿入端部２１の外周面にも雄ねじ２２が螺設され、この雄ねじ２２と螺合する雌ねじ１２が上記排水管１出口部の奥側内周面に内設された継手の接続構造。【選択図】図１
2005213725.tif 000002
【特許請求の範囲】
【請求項１】
排水管と継手との接続構造において、該継手の端部が排水管出口部に挿入可能とされ、この排水管出口部の外周面には、三角パッキンを介して予め継手に緩挿された袋ナットに内設された雌ねじと螺合する雄ねじが螺設されるとともに、上記継手の挿入端部の外周面にも雄ねじが螺設され、この雄ねじと螺合する雌ねじが上記排水管出口部の奥側内周面に内設された継手の接続構造。
【請求項２】
上記三角パッキンが円形、かつ、断面三角形状の可撓性を有する軟質部材から形成された請求項１に記載の継手の接続構造。
【請求項３】
上記継手の挿入端部の外周面に螺設された雄ねじがねじ切り部分をカットすることにより長さ調整可能とされた請求項１に記載の継手の接続構造。
【請求項４】
上記排水管がキャビネット部を備えた排水機器の排水トラップに付設されるとともに、継手がエルボである請求項１に記載の継手の接続構造。
【発明の詳細な説明】
【技術分野】
【０００１】
本発明は、継手の接続構造に関する。さらに詳しくは、キッチンキャビネットや洗面キャビネット等、排水機器の下方に設けられた排水トラップに付設される排水管にエルボ等の継手を接続する構造に関する。
【背景技術】
【０００２】
キッチンキャビネットのシンクや洗面キャビネットの洗面ボウル、あるいは浴室の洗い場等の下方に設けられる排水トラップには、通常、排水管が付設されており、この排水管はエルボ等の継手に接続され、排水は上記排水管からエルボを経て排水本管に流される。そこで、上記排水管とエルボ等の継手との接続については、既に種々の接続構造が提案されている。
【０００３】
本願図３は、上記公知の排水管とエルボ等の継手との接続構造の一例を示す分解斜視図である。本願図３からよくわかるように、上記接続構造Ｂにおいては、排水トラップ５に付設された排水管１の出口部に挿入される端部２１を備えたエルボ２を円形、かつ、断面三角形状の合成ゴム製の三角パッキン３を介し、予めエルボ２に緩挿した袋ナット４を排水管１の出口部に螺合して接続される。すなわち、本願図４の部分側断面図に示すように、袋ナット４に内設された雌ねじ４１を排水管１の出口部外周面に螺設された雄ねじ１１に螺合するとともに、上記袋ナット４内の三角パッキン３を圧締すると、エルボ２の端部２１が締着され、このようにして排水トラップ５を排水管１を介してエルボ２等の継手に接続することができる。
【特許文献１】特開２００２−１６７８３２号公報（第１−３頁、第３図、第６図）
【特許文献２】特開２０００−３２８６２３号公報（第１−４頁、第２図）
【特許文献３】特開平１０−２６６２９３号公報（第１−３頁、第１図）
【発明の開示】
【発明が解決しようとする課題】
【０００４】
しかしながら、上記した公知の接続構造Ｂにおいては、外部からの衝撃や長期間の使用等により、接続部が緩んで水洩れが発生したり、排水管１内に挿入されたエルボ２の挿入端部２１が抜け落ちる等の問題がある。そこで本発明は、水洩れを防ぐとともに、簡単に抜けることがなく、かつ、エルボ等継手の接続部の長さを容易に調整できる継手の接続構造を提供することをその課題とする。
【課題を解決するための手段】
【０００５】
上記課題を解決するために本発明においては、つぎのような技術的手段を講じている。すなわち、本発明によれば、排水管と継手との接続構造において、該継手の端部が排水管出口部に挿入可能とされ、この排水管出口部の外周面には、三角パッキンを介して予め継手に緩挿された袋ナットに内設された雌ねじと螺合する雄ねじが螺設されるとともに、上記継手の挿入端部の外周面にも雄ねじが螺設され、この雄ねじと螺合する雌ねじが上記排水管出口部の奥側内周面に内設された継手の接続構造が提供される。
【０００６】
上記三角パッキンが円形、かつ、断面三角形状の可撓性を有する軟質部材から形成されることが好ましい。例えば、強靱で、可撓性を有するＥＰＤＭ、ＳＢＲ、ＣＲ等の合成ゴムを上記形状に成形したものが好ましく用いられる。
【０００７】
上記継手の挿入端部の外周面に螺設された雄ねじがねじ切り部分をカットすることにより長さ調整可能とされることが好ましい。
【０００８】
上記排水管がキャビネット部を備えた排水機器の排水トラップに付設されるとともに、継手をエルボとすることが好ましい。例えば、キッチンキャビネットのシンクや洗面キャビネットの洗面ボウル等の下方に設けられる排水トラップに好ましく適用され、排水は、排水トラップに付設された排水管からエルボ等の継手を経て排水本管に排出される。
【発明の効果】
【０００９】
請求項１に記載の発明は上記のとおりであり、とくに、継手の挿入端部の外周面にも雄ねじが螺設されるとともに、この雄ねじと螺合する雌ねじが排水管出口部の奥側内周面に内設されているため、上記雄ねじを雌ねじに螺合することにより、排水管と継手がしっかりとねじ結合し、排水管出口部に挿入されたエルボ等の継手の抜け落ちを防ぐことができる。
【００１０】
上記三角パッキンが円形、かつ、断面三角形状の可撓性を有する軟質部材から構成されているため、袋ナットを排水管出口部に螺合すると、袋ナット内の三角パッキンが圧締されるとともに、エルボ等の継手の端部を締着し、しっかりと排水管と継手とを接続し、また、水洩れを防ぐことができる。
【００１１】
上記継手の挿入端部の外周面に螺設された雄ねじがねじ切り部分をカットすることにより、挿入端部の挿入長さを大幅に調整することが可能で、エルボ等、継手の水平直管部の接続長さを調整できるため、施工現場の状況に応じて作業性よく排水管と継手とを接続することができる。
【００１２】
上記排水管がキャビネット部を備えた排水機器の排水トラップに付設されるとともに、継手をエルボとすることにより、キッチンキャビネットのシンクや洗面キャビネットの洗面ボウル等の下方に設けられる排水トラップに作業性よく、かつ、見栄えよくエルボを取付けることができ、排水を上記排水管からエルボを経て排水本管に排出することができる。
【発明を実施するための最良の形態】
【００１３】
以下、本発明の実施形態について図面を参照して、詳細に説明する。図１は、本発明にかかる継手の接続構造Ａを示す一部切欠分解斜視図である。図２は、上記接続構造Ａを用いて排水管１とエルボ２とを接続した状態を示す部分側断面図である。図１、図２からよくわかるように、排水トラップ５の下部に付設された排水管１の出口部にはエルボ２の挿入端部２１が挿入されるとともに、この挿入端部２１の外周面に螺設された雄ねじ２２が、排水管１の出口部奥側の内周面に内設された雌ねじ１２に螺合する。
【００１４】
上記雄ねじ２２と雌ねじ１２とを螺合した後、さらに、合成ゴム製の三角パッキン３を介し、予め、エルボ２に緩挿された袋ナット４の雌ねじ４１を排水管１の出口部の外周面形成した雄ねじ１１に螺合する。このようにすることによって、上記雄ねじ２２と雌ねじ１２とのねじ結合力に、袋ナット４を用いて三角パッキン３を圧締し、エルボ２の端部２１を締着する公知の方法による力が加わり、排水管１とエルボ２とをしっかりと接続することができる。
【００１５】
エルボ２の端部２１の挿入長さは、雄ねじ２２の雌ねじ１２へのねじ込み度を深くするか、浅くするかによって調整することができる。あるいは、ねじ切り部分をカットすることにより端部２１の挿入長さを大幅に調整することができる。このように、エルボ２の水平直管部分の長さを調整することにより、施工現場の状況に応じて作業性よく排水トラップ５に付設された排水管１をエルボ２に接続することができる。
【図面の簡単な説明】
【００１６】
【図１】本発明にかかる継手の接続構造を示す一部切欠分解斜視図である。
【図２】本発明にかかる継手の接続構造を用いて排水管とエルボとを接続した状態を示す部分側断面図である。
【図３】公知の継手の接続構造の一例を示す分解斜視図である。
【図４】公知の継手の接続構造を用いて排水管とエルボとを接続した状態を示す部分側断面図である。
【符号の説明】
【００１７】
Ａ          本発明にかかる継手の接続構造
Ｂ          公知の継手の接続構造
１          排水管
１１        雄ねじ
１２        本発明にかかる排水管出口部の奥側内周面に螺刻された雌ねじ
２          エルボ
２１        挿入端部
２２        本発明にかかる挿入端部の外周面に設けられた雄ねじ
３          三角パッキン
４          袋ナット
４１        雌ねじ
５          排水トラップ
【図１】
2005213725.tif 000003
【図２】
2005213725.tif 000004
【図３】
2005213725.tif 000005
【図４】
2005213725.tif 000006